(57)【要約】【課題】  電子機器におけるケーブルの接続部から接栓や電子機器ケース内部に雨水が浸入することを防止することができ、かつ外径の大小異なるケーブルの挿通が可能な電子機器ケース用防水キャップを提供しようとするものである。【解決手段】  中空筒状に形成した筒体上部には電子機器ケースの嵌合部に対して水密的な装着を可能にする開口部を備え、下部にはケーブルを挿通させる透孔を備え、筒体の内部には筒体の内周面から中心に向けて張出状に環状体を周設し、環状体の中央部の孔径はケーブルの最小外径より小さく形成し、環状体の材質は、外径の大小異なるケーブルの挿通を弾力的に変形して許容すると共にケーブル挿通後はケーブルの外周面に対して圧接する弾力性のある材質で形成し、さらに環状体の周設位置は、ケーブル挿着状態で環状体の下側に、風雨の勢いを減退させる為の空気室が形成される位置に設けたものである。【選択図】    図１
2006310230.tif 000002
【特許請求の範囲】
【請求項１】
中空筒状に形成した筒体の上部には、電子機器ケースにおける嵌合部に対して水密的な装着を可能にする開口部を備え、下部には、ケーブルを挿通させる透孔を備えさせた電子機器ケース用防水キャップにおいて、
上記筒体の内部においては、上記筒体の内周面から中心に向けて張出状となるように環状体を周設し、
環状体における中央部の孔径は、挿通させるケーブルの最小外径より小さく形成してあり、
上記環状体の材質は、外径の大小異なるケーブルの挿通を弾力的に変形して許容すると共に、ケーブル挿通後は、ケーブルの外周面に対して圧接する弾力性のある材質で形成してあり、
さらに、上記筒体の内側における環状体の周設位置は、ケーブル挿着状態において環状体の下側に、風雨の勢いを減退させる為の空気室が形成される位置に設けてあることを特徴とする電子機器ケース用防水キャップ。
【請求項２】
上記筒体の外周面における上記環状体の外周位置には環状凹部を周設し、上記環状体の元部の上下位置の周壁の肉厚が薄くなるようにしたことを特徴とする請求項１記載の電子機器ケース用防水キャップ。
【発明の詳細な説明】
【技術分野】
【０００１】
本発明は、電子機器ケース用防水キャップに関し、詳しくは、屋外にて用いられるアンテナ給電部やブースタ等の電子機器に対してケーブルを接続する場所に用いられる電子機器ケース用防水キャップに関する。
【背景技術】
【０００２】
従来の電子機器ケース用防水キャップ、例えば特許文献１に示される防水キャップは、中空状の筒体の上部には、電子機器における台座（嵌合部ともいう）に対して水密的に嵌合させる開口部を備える。さらに、上記筒体の下部には、ケーブルを挿通させる透孔を備える。
上記筒体の下部はテーパー状に形成され、かつその外周面には切目盛りが設けられている。
よって、防水キャップを上記台座に対して装着した状態では、上記開口部が上記電子機器における台座に対して水密的に嵌合した状態となり、上記透孔は挿通させたケーブルの外周面を包むことになる。
さらに、上記下部に設けられている切目盛りを利用して切断すると、透孔の内径寸法を大きくすることができる。このことは、外形寸法の異なるケーブルを挿通し利用する場合に便利になる。
【０００３】
【特許文献１】特開平５−２９０９２０号公報
【発明の開示】
【発明が解決しようとする課題】
【０００４】
しかし、この従来の防水キャップでは、装着完了後に気温の変化があって、防水キャップとケーブルとの間に隙間ができ、雨水が筒体内部に侵入するという不測の事態が生じることがある。
このような不測の事態を防止する為、防水キャップの下部と防水キャップに挿通させているケーブルとをテープでもって止着する手段を余分に施さねばならぬ作業上の問題点があった。
さらに、ケーブルを防水キャップに挿通後、ケーブル先端を電子機器に結線する際、ケーブルに通した防水キャップはケーブルを伝ってツルツル動く。
例えば、梯子などを利用して高所で装着作業する際、梯子下まで伸びたケーブルを伝って防水キャップが落下した場合、作業者は、結線作業完了後に防水キャップを拾いに降りなければならず、ケーブルに防水キャップを通しながら再び梯子を登って電子機器ケースの設置場所まで戻り、防水キャップを電子機器ケースに嵌着しなければならないという作業上の問題点があった。
さらに、防水キャップにおける透孔の当初の内径寸法より太い外径のケーブルを使用する場合、予め筒体下部を切断する手間を要した。
切断後の透孔の内径寸法がケーブルの外径寸法以下だと、防水キャップにケーブルを挿通させる際の挿通作業が困難になる。
反対に過度に切断しすぎると、透孔の内径寸法がケーブルの外径寸法より大きくなってしまい、挿通作業は容易だが透孔とケーブルの外周面との間に隙間ができてしまう問題点があった。
【０００５】
本件出願の目的は、電子機器におけるケーブルの接続部から接栓や電子機器ケース内部に雨水が浸入することを防止することができる電子機器ケース用防水キャップを提供しようとするものである。
他の目的は、外径の大小異なるケーブルの挿通が可能で、かつ高い防水効果を発揮する電子機器ケース用防水キャップを提供しようとするものである。
他の目的は、防水キャップを電子機器ケースに装着する場合、その装着作業は簡易で余分な手間を施す必要のない作業性がよい電子機器ケース用防水キャップを提供しようとするものである。
他の目的及び利点は図面及びそれに関連した以下の説明により容易に明らかになるであろう。
【課題を解決するための手段】
【０００６】
本願発明における電子機器ケース用防水キャップは、中空筒状に形成した筒体11の上部には、電子機器ケースＡにおける嵌合部６に対して水密的な装着を可能にする開口部13を備え、下部には、ケーブル８を挿通させる透孔１６を備えさせた電子機器ケース用防水キャップ１０において、上記筒体11の内部においては、上記筒体11の内周面から中心に向けて張出状となるように環状体18を周設し、環状体18における中央部の孔径は、挿通させるケーブル８の最小外径より小さく形成してあり、上記環状体18の材質は、外径の大小異なるケーブル８の挿通を弾力的に変形して許容すると共に、ケーブル８挿通後は、ケーブル８の外周面に対して圧接する弾力性のある材質で形成してあり、さらに、上記筒体11の内側における環状体18の周設位置は、ケーブル挿着状態において環状体18の下側に、風雨の勢いを減退させる為の空気室が形成される位置に設けたものである。
【０００７】
また好ましくは、上記筒体11の外周面における上記環状体18の外周位置には環状凹部25を周設し、上記環状体18の元部19の上下位置の周壁の肉厚が薄くなるようにしたものであればよい。
【発明の効果】
【０００８】
以上のように本願発明にあっては、電子機器におけるケーブルの接続部５の外周に装備させた状態では、電子機器におけるケーブルの接続部への雨水の侵入を防止することができる特長がある。
【０００９】
さらに本願発明は、環状体18がケーブル８の外周面に対して弾力的に圧接するようにしてあるので、ケーブル８を防水キャップに挿通した後、電子機器との結線作業の際、防水キャップ10は手元近くのケーブル８に留まっており、結線作業完了後は、迅速に防水キャップ10を電子機器ケースに装着することができる作業上の効果がある。
【００１０】
さらに本願発明は、ケーブルの外径が小さい（細い）ものでも、大きい（太い）ものでも挿通することができ、さらに挿通後は、環状体18が  太いケーブル、細いケーブルのどちらの外周面に対しても弾力的に圧接され密着する。
従って、外径寸法の異なるケーブルのどちらに対しても、電子機器におけるケーブルの接続部からの雨水の侵入を防止して使用できる効果がある。
さらに、上記従来品のようにケーブルの太さに合わせて予め防水キャップを切断する等の手間を要さず、ただケーブルを挿通させるだけの簡易な挿着作業で利用することができる作業上の効果がある。
【００１１】
さらに本願発明は、筒体11の内側における環状体18の周設位置を、ケーブル挿着状態において環状体18の下側に空気室24が形成されるような位置に設けてあるので、風雨が防水キャップの下側から吹上げる場合でも、空気室24が、雨水の浸入の勢いを減退させ、筒体内部への雨水の浸入をより阻止することができる特長がある。このことにより、より高い防水効果が期待できるという効果がある。
【００１２】
さらに本願発明において、筒体11の外周面に環状凹部25を周設した場合には、上記環状体18の元部19の上下位置における上記筒体11の周壁12が薄肉になるので、防水キャップ10に対して外径の大きい（太い）ケーブル８を挿通する場合、上記筒体11の周壁12を押し広げながら、上記環状体18全体が元部19から弾力的に傾斜して太いケーブル８の挿通を許容する。
よって、太いケーブル８であっても、挿通し易い作業上の効果がある。
【発明を実施するための最良の形態】
【００１３】
以下本願発明の実施の形態を示す図面について説明する。図１乃至図６において、１は、電子回路（図示を省略）を収納する空間を備える周知の電子機器ケースＡのケース本体を示す。上記電子機器ケースとしては、例えば屋外で用いられるアンテナの給電部のケース、ブースターケース、テレビ共同受信機器のケース等がある。上記ケース本体１は、蓋体２と基盤３とで構成され、夫々合成樹脂材、金属材料等の任意の硬質材料で形成されており、任意の成形手段により別体に形成され、任意の手段で合体させている。
４は、電子機器ケースＡに対してケーブル８を接続する場所を示し、接続端子が例示してある。なお、この場所４においては任意の接続具を用いればよく、接栓などを利用するものであってもよい。
５は、電子機器ケースＡにおけるケーブル接続部としての周知のケーブル挿入孔を示し、ケース本体１における基盤３の周壁の下壁3aに備えさせてある。なお３ｃは盲蓋を示す。
６は上記電子機器ケースＡの下壁3aに設けられた嵌合部を示し、上記ケーブル接続部（ケーブル挿入孔）５の周囲に垂下状に形成させてある。
嵌合部６において、６ａは内側筒を示し、6bは上記内側筒6aの外周側に所定の間隔をあけて二重筒状に形成させた外側筒を示す。
上記内側筒６ａと上記外側筒6bとは、上記下壁３ａに一体的に形成させてある。
８は上記ケース本体１内の電子回路に対して接続される周知のケーブルで、8bは中心導体、8cは絶縁体、8dは外被導体、8eは外被を示す。8fは外径寸法Ｗ７(例えば６mm) の細いケーブル、8gは外径寸法Ｗ７ｇ(例えば7.6mm)の太いケーブルを示す。ケーブル８は、例えば同軸ケーブルであり、周知の手段、例えば図１に示されるように接続される。
【００１４】
10は上記ケーブル挿入孔５を防水する為の電子機器ケース用防水キャップ、11は防水キャップ10における中空筒状に形成された筒体を示す。
13は上記筒体11の上部に設けられた開口部を示し、上記電子機器ケースＡにおける嵌合部６に対して水密的な装着を可能にしてある。
上記開口部13の内径寸法Ｗ１は、上記嵌合部６における内側筒6aの外周面に対して弾力的な嵌着を可能にする寸法に構成させてある。内径寸法Ｗ１としては、例えば上記内側筒6aの外周面の外径寸法Ｗ３（14mm）に対して内径寸法Ｗ１は、やや小さめ（13.5mm）としてもよい。
なお、上記開口部13の水密的な装着可能な構成は周知構成を利用してもよい。
14は、上記開口部13の上端部の外周に放射方向に張出状に備えさせた鍔片を示す。上記鍔片14の張出寸法は、図１によく示される装着状態において、鍔片14の先部14ａが上記外側筒６ｂの内周面に対して圧接して密着するような寸法に構成させてある。
鍔片14の張出寸法としては、例えば上記外側筒６ｂの内周面の内径寸法Ｗ４（19mm）に対して、鍔片14の先部14ａの外径寸法Ｗ２は、やや大きく（19.5mm）なるようにするとよい。
【００１５】
16は上記ケーブル８を挿通させる為の透孔を示し、上記筒体11の下部に備えられている。上記透孔16の内径寸法Ｗ５は、挿通予定のケーブル外径寸法より大きい寸法で、かつケーブル挿通後には、透孔16の開口縁17とケーブル外周面8aとの間に空気室24が形成されるような寸法に構成させてある。
なお、空気室24の容積は透孔16の内径寸法1.0に対し、矢印35方向の寸法が0.5〜2.0の範囲になるように設定すればよい。
内径寸法Ｗ５としては、例えばケーブル８の外周面の外径寸法Ｗ７ｇ（7.6mm）に対して内径寸法Ｗ５は、大きめ（例えば８mm）としてもよい。
【００１６】
18は上記筒体11の内部に設けられた環状体を示し、上記筒体11の内周面11ａから中心に向けて張出状となるように周設させてある。
上記環状体18の断面形状は、図３によく示されるように、太く形成されている元部19から先部20方向に向けて先細山形状になるように形成させてある。
上記環状体18における中央部の孔径Ｗ６は、挿通させるケーブル８の最小外径より小さく形成してある。孔径寸法Ｗ６としては、例えば細いケーブル８ｆの外径寸法Ｗ７（６mm）に対して孔径寸法Ｗ６（例えば５mm）としてもよい。
上記環状体18の材質は、外径の大小異なるケーブルの挿通を弾力的に変形して許容すると共に、ケーブル挿通後は、ケーブルの外周面に対して圧接する弾力性のある材質で形成させてある。
上記環状体18の材質としては、例えば弾力性を有する高分子材料等、好ましくは熱可塑性エラストマーで形成させてもよい。
上記筒体11の内側における環状体18の周設位置は、図１、図６によく示されるケーブル挿着状態において、環状体18の下側に風雨の勢いを減退させる為の空気室24が形成されるような位置に設けてある。
上記環状体18の周設位置としては、例えば筒体11の下端から長さＬ１（例えば７mm）上方の位置に周設されるようにしてもよい。
上記筒体11と鍔片14と環状体18とは、同一材でもって一体的に成形させてある。
【００１７】
25は、上記筒体11の外周面11bにおける上記環状体18の外周位置に周設された環状凹部を示す。
上記環状凹部25は、上記環状体18の元部19の上下位置の周壁12ａ、12ｂの肉厚が薄くなるように形成させてある。
周壁12ａ、12ｂの肉厚としては、太いケーブルを挿通したとき、上記筒体11の周壁12を押し広げながら、上記環状体18全体が元部19から弾力的に傾斜して太いケーブル8gの挿通を許容できるような肉厚であればよい。
例えば図３（Ｂ）によく示されるようなＵ字状に構成してもよい。
なお上記環状凹部25は任意選択的に備えさせればよく、筒体11の弾力性が充分ある場合には周壁12の外周面に環状凹部25を周設させないで構成してもよい。
【００１８】
上記構成の防水キャップ10の使用方法及び使用状態について説明する。
外径の細いケーブル８ｆを使用する場合は次の通りとなる。
まず図３（Ａ）によく示されるように、ケーブル８ｆ（細い外径のケーブル）を矢印35方向へ向けて、防水キャップ10の透孔16に挿入する。この場合、透孔16の内径寸法Ｗ５は、ケーブルの外径寸法Ｗ７より大きいので、挿通が楽となる。
すると、上記したように環状体18における孔径Ｗ６は、ケーブル8fの外径Ｗ７より小さいので、外被導体8dの先端が環状体18に当る。
引き続きケーブル8fを押し進めると、環状体18の先部20が外被導体８ｄの先端に押されて弾力的に変形し、図４に示されるような状態に変形してケーブル８ｆの挿通を許容する。
続けてケーブル8fの挿通を進めて筒体11を貫通させ、さらに、ケーブル８ｆを結線作業がし易い長さが開口部13の先端から突き出るまで挿通させる。
この状態において、防水キャップ10における環状体18にあっては、環状体18の先部20の下側がケーブルの外被8eの外周面8aに対して弾力的に圧接し、密着して滑り止めすることになる。
【００１９】
次にケーブル８ｆを電子機器ケース内の電子回路に対して通常のように結線作業する。
例えば、ケーブル８ｆを電子機器ケースＡにおけるケーブル挿入孔５に差込み、中心導体８ｂを差込後ケーブルの固定をする等両手を使って結線作業を行う。
このように両手を使って結線作業をする場合においても、先にケーブル８ｆに挿通させておいた防水キャップ10は、結線作業中はずっと手元近くのケーブル位置に留まっており、結線作業中は防水キャップ10の存在位置を気にかける必要はなく、結線作業完了後は、迅速に次の作業に移ることができる。
【００２０】
次に防水キャップ10を電子機器ケースに対して次のように装着する。
まず、防水キャップ10をケーブル８に沿ってケース本体１側（図４（Ａ）の矢印36方向）へずらし上げる。
このとき、図４に示される状態の環状体18は、筒体11が矢印36方向へ移動すると、先部20が弾力的にケーブル８の外周面を圧接したまま、元部19は矢印36方向へ移動する。
さらに、筒体11が矢印36方向へ移動すると、環状体18の先部20は弾力を有するので、図１（Ａ）、（Ｃ）に示される状態へと弾力的に変形する。
そして先部20の上側が、ケーブル外周面8aを弾力的に圧接し密着することになる。
【００２１】
次に、防水キャップ10における上部の開口部13を、電子機器ケース側の内側筒６ａの外周面に対して被せ付け、さらに防水キャップ10を図１に示される位置まで挿入し、弾力的に嵌着させる。
このように防水キャップ10を装着した状態では、図１（Ｂ）によく示されるように、防水キャップ10における開口部13の内周面13ａが、内側筒６ａの外周面に密着し、鍔片14における先部14ａが、外側筒６ｂの内周面に対して圧接する。
なお、鍔片14は、先部14ａの上記外側筒６ｂの内周面に対する圧接の反力によって、開口部13の内周面13ａを上記内側筒６ａの外周面方向へ加圧するので、防水キャップ10における開口部13の内周面13ａは、内側筒６ａの外周面に対してより密着することになる。
よって、筒体11における開口部13が電子機器ケース１の嵌合部６と水密的に装着されることになる。
【００２２】
この装着状態においては、電子機器におけるケーブルの接続部への雨水の侵入を防止することができる。
しかも、環状体18のケーブル８ｆに対する圧接状態は、図１に示されるように、環状体18における先部20が下向きになるように変形し、先部20の上側がケーブル８ｆの外周面8aを弾力的に圧接して密着しているので、防水キャップの下からの雨水の吹上げに対して、高い防水効果が期待できることになる。
【００２３】
さらに、この装着状態においては、環状体18の下側に空気室24が形成されるので、風雨が防水キャップの下側から吹上げられても、空気室24が、雨水の浸入の勢いを減退させ、筒体内部への雨水の浸入効果的に阻止することができるので、より高い防水効果が期待できることになる。
【００２４】
次に、外径の太いケーブル８ｇを使用する場合について説明する。
外径の細いケーブル８ｆの場合と同様に、まずケーブル８ｇを防水キャップ10の透孔16に挿入する。この場合、透孔16の内径寸法Ｗ５は、ケーブルの外径寸法Ｗ７ｇより大きいので、挿通が楽となる。
環状体18における孔径Ｗ６は、ケーブル８ｇの外径Ｗ７ｇより小さいので、外被導体８ｄの先端が環状体18に当る。
引き続きケーブル８ｇを押し進めると、環状体18の元部19が外被導体８ｄの先端に押されて弾力的に変形し、元部19の下端19ａから引張られるように環状体18全体が弾力的に傾斜して上記環状凹部25における上縁25ａの上記筒体11の周壁12を押し広げながら、上記環状体18全体が元部19から弾力的に傾斜し、図５に示されるような状態に変形し、太いケーブル８ｇの挿通を許容する。
続けてケーブル８ｇの挿通を進めて筒体11を貫通させ、さらに、ケーブル８ｇを結線作業がし易い長さが開口部13の先端から突き出るまで挿通させる。
この状態において、防水キャップ10における環状体18にあっては、環状体18の下側がケーブルの外被８ｅの外周面8aに対して弾力的に圧接し、上記した細いケーブル８ｆの場合と同様に、環状体18と太いケーブル８ｇの外周面とが密着することになる。
【００２５】
次に、細いケーブル８ｆの場合と同様に電子機器ケース内の電子回路と結線作業をし、引続き防水キャップ10を電子機器ケースに対して装着する。
防水キャップ10をケーブル８ｇに沿ってケース本体１側（図５（Ａ）の矢印37方向）へずらし上げる。
このとき、図５に示される状態の環状体18は、筒体11が矢印37方向へ移動すると、環状体18の下側が弾力的にケーブル８ｇの外周面を圧接したまま、元部19は矢印3７方向へ移動しようとする。
さらに、力を入れて筒体11を矢印37方向へ移動させると、環状体18は弾力を有するので、所定の距離動くと、今度は元部19の上縁19ｂから引張られるように環状体18全体が弾力的に傾斜して、図６に示される状態へと弾力的に変形する。
そして環状体18の上側が、ケーブル外周面8aを弾力的に圧接し、上記した細いケーブル８ｆの場合と同様に、環状体18と太いケーブル８ｇの外周面とが密着することになる。
【００２６】
次に、上記した細いケーブル８ｆの場合と同様に、防水キャップ10を、電子機器ケース側の嵌合部６に対して弾力的に嵌着させる。
この装着状態においては、上記した細いケーブル８ｆの場合と同様に、電子機器におけるケーブルの接続部への雨水の侵入を防止することができる。
従って、夫々外径寸法の異なる細いケーブル８ｆと太いケーブル８ｇのどちらに対しても、電子機器におけるケーブルの接続部からの雨水の侵入を防止して使用できることとなる。
上記構成の防水キャップ10は、フリーサイズの服のような感覚で、挿通したいケーブルの太さを考慮することなく、ただキャップ内にケーブルを挿通させるだけの簡易な挿着作業で利用することができることとなる。
【００２７】
上記構成の防水キャップ10につき、電子機器の保守点検や修理をするときに防水キャップ10を取り外す場合について説明する。
まず、防水キャップ10を下方向に向けて強い力で引張りながら取外す。
鍔片14の先部14ａは弾力を有するので弾力的に変形し、さらに力を入れて引張り続けると防水キャップ10を電子機器ケースＡから取り外すことができる。
次に、使用していたケーブル８を交換する場合には、防水キャップ11とケーブル８とを挿通したときと反対方向へ引張れば、防水キャップ11をケーブル８から取外すことができる。
【図面の簡単な説明】
【００２８】
【図１】使用状態における電子機器ケースにおけるケース本体と、ケーブル接続部と、嵌合部と、防水キャップと、ケーブルとの関係を説明する為の概略断面図。
【図２】防水キャップを説明する為の図面で（Ａ）は正面図、（Ｂ）は（Ａ）の開口部側から見た図、（Ｃ）は（Ａ）の透孔側からみた図。
【図３】（Ａ）は、電子機器ケースにおけるケーブル接続部、嵌合部と、防水キャップ及びケーブルとの関係を説明する為の断面図。（Ｂ）は（Ａ）における環状体部分の拡大図。（Ｃ）は（Ａ）のケーブルとは異なる外径のケーブルを説明する為の部分破断図。
【図４】防水キャップとケーブルとの関係を説明する為の概略断面図。
【図５】防水キャップと、図４とは外径が異なるケーブルとの関係を説明する為の概略断面図。
【図６】防水キャップと、図４とは外径が異なるケーブルとの関係を説明する為の概略断面図。
【符号の説明】
【００２９】
１・・・電子機器ケース、２・・・蓋体、３・・・基盤、５・・・ケーブル挿入口、６・・・嵌合部、８・・・ケーブル、１０・・・防水キャップ、１１・・・筒体、１２・・・周壁、１３・・・開口部、１４・・・鍔片、１６・・・透孔、１７・・・開口縁、１８・・・環状体、１９・・・先部、２０・・・元部、２４・・・空気室、２５・・・環状凹部
【図１】
2006310230.tif 000003
【図２】
2006310230.tif 000004
【図３】
2006310230.tif 000005
【図４】
2006310230.tif 000006
【図５】
2006310230.tif 000007
【図６】
2006310230.tif 000008